(57)【要約】      （修正有）【課題】接地効果を有する電気コネクタ用シールドケースを提供する。【解決手段】電気コネクタ用シールドケース２は絶縁本体３の下部を被覆して該下部に設けられており、平面部２１と、該平面部から引っ張られて成型された中空形状の筐体部２２とより成る。前記筐体部において、引っ張られた後部の端面上には打抜きによって開口された枠口が設けられており、該開口された枠口は絶縁本体の下端面をシールドケース２の外側に露出させることで、絶縁本体から延伸される導電端子４の末端を枠口により回路基板上に溶接させることができる。また、前記枠口の辺縁に回路基板と連結する接地片となる挿ピン２３を設けることで、シールドケース２に集積されているノイズが回路基板上の接地回路に消去される。【選択図】図３
0003165898.tif 000002
【実用新案登録請求の範囲】
【請求項１】
平面部と、該平面部から引っ張られて成型されている枠体部と、を備え、引っ張られた後端面に開口されている枠口が設けられている電気コネクタ用シールドケースであって、前記枠口の辺縁には少なくとも１つの接地片が設けられ、該接地片と回路基板が接続されていることを特徴とする電気コネクタ用シールドケース。
【請求項２】
前記接地片は挿ピンであり、該挿ピンは回路基板の孔内に挿入されることにより接地されることを特徴とする請求項１に記載の電気コネクタ用シールドケース。
【請求項３】
前記挿ピンは段差を更に備えることを特徴とする請求項２に記載の電気コネクタ用シールドケース。
【請求項４】
前記接地片は回路基板の表面と当接する弾性片であり、少なくとも弾性アームと該弾性アームに連結する接触部とを備えることを特徴とする請求項１に記載の電気コネクタ用シールドケース。
【請求項５】
前記平面部の両側にはそれぞれ円孔が設けられていることを特徴とする請求項１に記載の電気コネクタ用シールドケース。
【請求項６】
前記シールドケースは下から上に向って絶縁本体を被覆し、開口されている枠口は、絶縁本体の下端面をシールドケースの外側に露出させることで、絶縁本体から延伸されている導電端子の末端を枠口により回路基板上に溶接させることを特徴とする請求項１に記載の電気コネクタ用シールドケース。
【請求項７】
前記シールドケースはＤ形状ポートのコネクタに適用され、コネクタ上の第２シールドケースとして使用されることを特徴とする請求項１〜６の何れか一項に記載の電気コネクタ用シールドケース。
【考案の詳細な説明】
【技術分野】
【０００１】
本考案は電気コネクタに関連し、特に接地効果を有する電気コネクタ用シールドケースに関する。
【背景技術】
【０００２】
電子製品は複数の電子モジュールを有し、かつ、モジュール間に自然形成されている静電容量が静電電子を放出するため、その周囲の電子モジュールに対して静電干渉を発生する。また、電子ユニット間に電流が流されて、外部に電磁波を発信することで、他の電気通信効果に干渉を与えるため、電気通信により伝達される電子製品はクロストーク（ｃｒｏｓｓ  ｔａｌｋ）が発生し易くなり、該クロストークをどのように有効的に制限するかは電子製品の製造において重要な課題になっている。そのため、現在は大部分電気コネクタにシールドケースの部材を設けることで、前記のようなノイズを遮断することができる。
【０００３】
周知のように、Ｄ形ポートのコネクタにおいて、通常はデスク型コンピュータに使用されるブラウン管型（Ｃａｔｈｏｄｅ  Ｒａｙ  Ｔｕｂｅ；ＣＲＴ）ディスプレイを接続するＤ−Ｓｕｂコネクタ、コネクタの液晶ディスプレイ（Ｌｉｑｕｉｄ  Ｃｒｙｓｔａｌ  Ｄｉｓｐｌａｙ；ＬＣＤ）デジタル・ビジュアル・インターフェース（Ｄｉｇｉｔａｌ  Ｖｉｓｕａｌ  Ｉｎｔｅｒｆａｃｅ；ＤＶＩ）コネクタとノートパソコンに応用される外付ドッキングステーション（Ｄｏｃｋｉｎｇ  Ｓｔａｔｉｏｎ）の接続に用いるＤｏｃｋｉｎｇコネクタ、外付保存装置の接続に用いる小型計算機システムインタフェース（Ｓｍａｌｌ  Ｃｏｍｐｕｔｅｒ  Ｓｙｓｔｅｍ  Ｉｎｔｅｒｆａｃｅ；ＳＣＳＩ）コネクタなどは構造が特別であり、前端のインタフェース部位に標準規格である第１シールドケースが設けられている以外に、後部に第２シールドケースが更に増設されて露出している部位を遮蔽することで、良好な遮蔽効果を達することができる。図１と図２では、前記種類のＤ形ポートのコネクタ構造１００を示しており、該コネクタ１００は絶縁本体を被覆する第１シールドケース１と、第２シールドケース２と、を備え、第２シールドケース２と第１シールドケース１とは同じであり、平面部で延伸技術により筐体形状に成型され、かつ、平面部２１と該平面部２１の中央部位から延伸されている筐体部２２とを備え、該第２シールドケース２は組み立てられた後にその下端に露出されている絶縁本体を被覆する。このような構造は所定のノイズを防止するが、シールドケース上に集積されている全てのノイズを回路基板の接地回路内に消去させることができないため、依然として電信通信の品質に影響を与える。
【０００４】
これにより、本考案の考案者は前記欠陥と不足に対して、長期の研究により、学理的な運用に適合して、上述の不足および欠陥を解決するための創作設計法案を創出することができた。
【考案の概要】
【考案が解決しようとする課題】
【０００５】
本考案の主な目的は、電気コネクタ用シールドケースを提供する。該シールドケースはその上に増設した接地片を利用することで、その上のノイズ干渉を消去することができ、かつ、コネクタおよび回路基板の補助固定構造として使用されることも可能である。
【課題を解決するための手段】
【０００６】
本考案の前記目的を達するため、以下の技術方案により実現することができる。本考案は電気コネクタ用シールドケースを提供し、該シールドケースは絶縁本体の下部を被覆して該下部に設けられており、平面部と、該平面部から引っ張られて成型された中空形状の筐体部と、を含み、前記筐体部において、引っ張られた後部の端面上には打抜きによって開口された枠口が設けられており、該開口された枠口は絶縁本体の下端面をシールドケースの外側に露出させることで、絶縁本体から延伸される導電端子の末端を枠口により回路基板上に溶接させることができ、前記枠口の辺縁に回路基板と連結する接地片を設けることで、集積されているノイズが回路基板上の接地回路に消去される。
【考案の効果】
【０００７】
従来の技術に比べて、本考案はシールドケースの枠口に回路基板と連結する接地片を設けることで、その上に集積されているノイズを回路基板上の接地回路に消去させることができ、これにより、電気通信の伝送品質を保証することができる。
【図面の簡単な説明】
【０００８】
【図１】従来の電気コネクタの外観図である。
【図２】従来の電気コネクタの第２シールドケースの外観図である。
【図３】本考案の第１実施例の立体分解図である。
【図４】本考案の第１実施例の第２シールドケースの外観図である。
【図５】本考案の電気コネクタの溶接パネルを示す図である。
【図６】本考案の雄台コネクタ上において第２シールドケースの応用を示す図である。
【図７】本考案の第２実施例の第２シールドケースの外観図である。
【考案を実施するための形態】
【０００９】
下記では、本考案の実施構造を詳細に説明するため、図面を参照して本考案を更に詳細に説明する。
【００１０】
図３、４、５に示すように、本考案の電気コネクタ用シールドケース２００の１つの具体的な実施例を示す。該電気コネクタはＤ形ポートの電気コネクタ２００であり、主に絶縁本体３と、絶縁本体３内に固定されている若干の導電端子４と、締付部材５と、シールドケースと、を含んで構成される。
【００１１】
該シールドケースは第１シールドケース１と第２シールドケース２とにより分離されており、前記第１シールドケース１は、金属パネル上で延伸技術により一体成型され、かつ、第１平面部１１と、第１平面部１１の中央部位から中空状に延伸されている第１筐体部１２と、を含む。該第１筐体部１２は平面視においてほぼ“Ｄ”文字形状になっており、その大きさはＤ形コネクタインタフェースの標準規格を完全に満たすため、接続部として使用されるようになり、延伸された後部の端面上には打抜きを通じて開口された第１枠口１２１が設けられており、該第１枠口１２１は絶縁本体３の接続先端３１の上端面３１１を露出させることで、絶縁本体３内の導電端子４が接続コネクタ（図に示せず）に接続して電気通信として伝送される。それ以外に、第１平面部１１上において、第１筐体部１２の両側に同じ大きさである１対の第１円孔１１１を更に設ける。
【００１２】
また、前記第２シールドケース２も金属パネル上で延伸技術により一体成型され、かつ、第２平面部２１と該第２平面部２１の中央部位から中空形状に延伸される第２筐体部２２とを含み、該第２筐体部２２は平面視においてほぼ“Ｄ”文字形状（ここで説明することとして、該第２筐体部２２は第１筐体部１２のような標準規格が不要で、その形状は必ず“Ｄ”文字形状ではなく、円形、方形などの形状でも可能である）になっており、延伸された後部の端面上には打抜きを通じて開口された第２枠口２２１が設けられており、該開口された第２枠口２２１は絶縁本体３の下端面を第２シールドケース２の外側に露出させることで、絶縁本体３から延伸される導電端子４の末端が第２枠口２２１を通じて回路基板に挿入して溶接される。前記第２枠口２２１の左右の両辺縁には鉛直して下に向いている挿ピン２３が対称して設けられ、かつ接地される接地片を形成しており、前記挿ピン２３は第２枠口２２１を打抜く際に、同期に打抜いてから湾曲して形成されており、当然ながら、第２枠口を打抜いた後に、枠口辺縁を引裂する方式により挿ピン２３を形成することができる。本考案の図面では前述の方法により形成されている挿ピン２３を示しており、上述の２つ方法を用いて本考案の挿ピン２３構造を形成することができるが、形成された挿ピン２３の回転方向が異なるだけであり、同じく本考案の接地効果を果たすことができる。該挿ピン上には更に段差２３１が設けられており、該段差２３１は溶接過程で半田の向上流動を防止する。回路基板に溶接される時に、挿ピン２３は回路基板の孔内に挿入して溶接されるため、挿ピン２３が集積されているノイズを回路基板６上の接地回路に消去することができ、更にコネクタ２００と回路基板６の補助固定構造としても使用される。前記第２平面部２１上において、第２筐体部２２の両側には第１円孔１１１と同じ大きさである１対の第２円孔２１１が設けられている。
【００１３】
組み立てる際に、第１シールドケース１は、導電端子４が設けられている絶縁本体の接続先端３１を上から下に向って被覆し、かつ、接続先端３１と共に全体コネクタの接続部として接続コネクタに挿接して使用されることができ、該第２シールドケース２は下から絶縁本体の残り部位を被覆し、被覆された後に、該第２シールドケース２の第２平面部２１と第１シールドケース１の第１平面部１１は逆方向で相互に貼着し、両者上に設けられている同じ大きさの１対の円孔もそれぞれ軸線により一致し、最後に締付部材５を円孔に挿入して２つのシールドケースを強固することで、本考案の電気コネクタ１００を得ることができる。
前記第２シールドケース２は雌台座の前記電気コネクタに適用されることができ、かつ、雄台座のコネクタに適用されることも可能であり、図６に示している。
【００１４】
図７では、本考案の電気コネクタ用シールドケース構造の第２実施例を示しており、本実施例において、該第２シールドケースも同じく第２平面部２１と、第２平面部２１の中央部位から中空状に延伸されている第２筐体部２２と、を含み、第２実施例と第１実施例との異なる点として、該第２シールドケース２上の接地接続に用いる接地片は適切な弾性を有する弾性片２４であり、該弾性片２４は第２枠口２２１の辺縁に設けられ、かつ、弾性を有する弾性アーム２４１と、弾性アーム２４１に接続する接触部２４２と、を含み、その加工方式も同様に枠口を打抜く際に、同期に打抜いた後に湾曲して形成されることも可能で、第２枠口２２１の辺縁を引裂する方式により形成されことも可能である。接地作業を行うときに、該弾性片２４は締付部材５上のロック部５１と回路基板６との締付により、弾性片２４の接触部２４２を弾性的に回路基板６表面のゴールドフィンガー（ＧｏｌｄＦｉｎｇｅｒ）上に当接させるようにし、回路基板の孔内への挿入が不要で、かつ、後続のＳＭＴ溶接（当然、当接された後にＳＭＴ溶接を行うことも可能である）を不要としても、回路基板６との連結を達することができるため、様々なノイズを回路基板上の接地回路に消去させることができる。他の構造は第１実施例と同じである。
【００１５】
上述の２つ実施例において、接地片を枠口の辺縁の任意部位に設けることも可能であり、左右の両側に制限しない。同時に、接地片の数は１つ以上でも可能である。
【００１６】
本考案の実施例および図面は、本考案に対してただ説明を行うだけであり、本考案の技術を熟知している技術者は本考案の目的と効果を理解することができるが、本考案に対していかなる制限を行うことではない。本考案は更に他の変化される実施方式を有するため、本技術を熟知する技術者は本考案の目的と効果を理解することができ、本考案の創作を離れていない状態で他の様式の実施を行うことができるが、本考案の保護範囲に含まれるべきである。
【符号の説明】
【００１７】
１００：  従来の電気コネクタ
１：  第１シールドケース
２：  第２シールドケース
２１：  第２平面部
２２：  第２筐体部
２００：  新型の電気コネクタ
１：  第１シールドケース
１１：  第１平面部
１１１：  第１円孔
１２：  第１筐体部
１２１：  第１枠口
２：  第２シールドケース
２１：  第２平面部
２１１：  第２円孔
２２：  第２筐体部
２２１：  第２枠口
２３：  挿ピン
２３１：  段差
２４：  弾性片
２４１：  弾性アーム
２４２：  接触部
３：  絶縁本体
３１：  接続先端
３１１：  上端面
４：  導電端子
５：  締付部材
５１：  ロック部
６：  回路基板
【図１】
0003165898.tif 000003
【図２】
0003165898.tif 000004
【図３】
0003165898.tif 000005
【図４】
0003165898.tif 000006
【図５】
0003165898.tif 000007
【図６】
0003165898.tif 000008
【図７】
0003165898.tif 000009